(57)【要約】【課題】機械室レスエレベータの制御盤の保守点検時等における作業性を損なうことなく、また制御盤を設置する乗り場三方枠周辺の意匠性を損なわないようにする。【解決手段】巻上機を昇降路内に設置する機械室レスエレベータの特定階において、乗り場三方枠１と建築構造物である壁３との間に制御盤４を設置する。この制御盤４の乗り場側に、この制御盤４を覆うように化粧パネル９を設ける。この化粧パネル９は、建築構造物に開閉可能に支持させて設け、塗装やシート貼りの標準外装の他、ユーザーの要求に応じた特別仕様の外装９ａを施すことができるように構成する。また化粧パネル９を耐火区画対応材質で構成して制御盤４の開閉扉６を省略することもできる。【選択図】  図２
2004250210.tif 000002
【特許請求の範囲】
【請求項１】
エレベータの乗り場三方枠の側方に位置し、建築構造物と前記乗り場三方枠との間に配置された制御盤と、この制御盤の前記乗り場側を覆うように設けられ、前記建築構造物に開閉可能に支持された化粧パネルとからなる機械室レスエレベータの制御装置。
【請求項２】
前記化粧パネルの外装を前記建築構造物の壁の外装と同種または近似する外装で構成したことを特徴とする請求項１に記載の機械室レスエレベータの制御装置。
【請求項３】
前記化粧パネルを防火区画対応材質により構成したことを特徴とする請求項１または２に記載の機械室レスエレベータの制御装置。
【請求項４】
前記制御盤に開閉扉を設けないように構成したことを特徴とする請求項３に記載の機械室レスエレベータの制御装置。
【発明の詳細な説明】
【０００１】
【発明の属する技術分野】
本発明は、制御盤をエレベータの乗り場三方枠の側方に設置した機械室レスエレベータの制御装置に関する。
【０００２】
【従来の技術】
エレベータは、一般的に昇降路上部の機械室に設けられた巻上機により吊りロープを介して昇降され、乗りかご内の行先階の呼び登録ボタンや各階の乗り場の呼び登録ボタンを押して呼びを登録することで、乗りかごにより指定する階に移動できるようになっている。
【０００３】
巻上機が設置された機械室には制御盤が設けられ、この制御盤と乗りかごがケーブルを介して接続され、乗客の呼び登録に応じて乗りかごの昇降が制御されるようになっている。
【０００４】
近年、エレベータとして、吊りロープを介して乗りかごを昇降する巻上機を昇降路内に設けることにより、昇降路上部の機械室をなくした、いわゆる機械室レスエレベータが多用されるようになってきている。
【０００５】
この種エレベータの制御装置は、機械室がないために乗り場三方枠の側方に隣接して制御盤を設置したり、昇降路内に制御盤を設置したりする構成が採用されている。
【０００６】
【発明が解決しようとする課題】
制御盤を乗り場に設置する場合は、制御盤が設けられた乗り場三方枠周辺の状態が他階の乗り場三方枠周辺の状態と意匠が異なることにより、客先から改善の要求を受けることがある。
【０００７】
例えばマンション等で最上階がオーナー階となっていてフロアの壁がタイル貼りや石貼り等の高級外装により構成されている場合に、この最上階の乗り場三方枠の側方に制御盤を設置すると、制御盤の外装が塗装や壁紙のようなシート貼りで構成されていることから、意匠面からみて不釣合いと感じる場合がある点である。
【０００８】
このような場合、乗り場側に面した制御盤の開閉扉をフロアの壁と同種の外装を施すことも考えられるが、開閉扉の重量が大きくなり、これに伴い開閉扉を支持するヒンジや制御盤の箱体の機械的強度を大きくする必要が生じ、制御装置全体が大型化するおそれがある。
【０００９】
また制御盤の開閉扉は、メーカー側で標準化されていて特別な仕様に対応できない事情もある。
【００１０】
一方、制御盤を昇降路内に設置した場合は、制御盤の開閉扉の外装に関係なく、各階の乗り場三方枠周辺を共通の状態に構成でき、上述のような改善の要求はないが、昇降路内に制御盤があることから、例えば制御盤の保守点検時における作業が、昇降路内の制御盤を設置した位置まで乗りかごを昇降し、乗りかごの上に乗って行う作業となり、制御盤を乗り場に設置した場合に比較し、作業性が悪いという問題がある。
【００１１】
本発明は、上述の問題点を解決するためになされたもので、制御盤の保守点検時等における作業性を損なうことなく、また乗り場三方枠周辺の意匠性を損なうことのない機械室レスエレベータの制御装置を提供することを目的とする。
【００１２】
【課題を解決するための手段】
本発明は、上記の課題を解決するために、エレベータの乗り場三方枠の側方に位置させて建築構造物の壁と乗り場三方枠との間に制御盤を設置し、この制御盤の乗り場側を覆うように、建築構造物に開閉可能に支持させた化粧パネルを設けるようにしたことを特徴とする。
【００１３】
このようにすれば、制御盤を乗り場に設置することによる良好な作業性を維持することができ、また化粧パネルの重量を建築構造物で支えることができるので、乗り場三方枠周辺の壁に対して意匠性を損なうことのない外装を構成することができる。
【００１４】
特に化粧パネルの外装を建築構造物の壁の外装と同種または近似する外装で構成することにより、両者の外装の不釣合いをなくすことができる。
【００１５】
また化粧パネルを防火区画対応材質により構成することもできる。このようにすれば、制御盤の開閉扉を省略し制御盤を簡素化することができる。
【００１６】
【発明の実施の形態】
以下、本発明の実施の形態を説明する。図１は本発明による機械室レスエレベータの制御装置における第１の実施の形態を示す斜視図、図２は第１の実施の形態を示す平面断面図である。
【００１７】
本発明では、吊りロープを介して乗りかごを昇降する巻上機を昇降路内に設置する機械室レスエレベータを対象とし、制御盤を乗り場に設置する形式を採用する。
【００１８】
図１および図２において、エレベータの特定階に、乗り場２０に面して三方枠１が設けられている。この乗り場三方枠１は、フラットバー形式のもので、乗り場ドア２の左右および上方を取り囲むように設けられている。この乗り場三方枠１の側方に、乗り場三方枠１と建築構造物である壁３との間に制御盤４が設置されている。
【００１９】
制御盤４は、箱体内に変圧器、インバーター、制御基板などの制御部品５が収納され、乗りかごの昇降を制御するために使用される。制御盤４は、乗り場２０側の２面が開口していて、この２面の開口部を覆うように開閉扉６が設けられている。この開閉扉６は断面Ｌ字形をなし、制御盤４の箱体に支持されたヒンジ７により図２に示す状態から時計方向に開くことができるようになっており、また先端部に設けられた鍵８により鎖錠できるようになっている。
【００２０】
この制御盤４の乗り場２０側には、所定の間隔をおいて化粧パネル９が設けられている。この化粧パネル９は、周縁を折り曲げた鋼板により構成され、全体で断面Ｌ字形をなしていて制御盤４を覆うように設けられている。またこの化粧パネル９は、壁３を構成する建築構造物に支持されたヒンジ１０により、図２に示す状態から時計方向に開くことができるようになっており、先端部に設けられた鍵１１により鎖錠できるようになっている。
【００２１】
この化粧パネル９は、乗り場側に面する表面に外装９ａが施されている。この外装９ａは、塗装やシート貼り等の標準外装のみならず、ユーザーの要求により、フロアの壁３の外装に釣り合った仕様の外装を施すことができるものであり、特に化粧パネル９が建築構造物に支持され大きな重量を支えることができるので、例えばフロアの壁３にタイル貼りや石貼り等の高級外装が施されている場合に、同種または近似する外装を施す要求があっても応じることができる。
【００２２】
このように本実施の形態によれば、制御盤４を乗り場２０に設置する方式を採用して制御盤４に対する保守点検作業等の作業性を維持する一方で、制御盤４の開閉扉６とは別個に化粧パネル９を設け、しかもこの化粧パネル９を建築構造物に支持させて大きな重量を支えることができるように構成したので、ユーザーの多様な要求に応じて外装９ａを施して違和感がなく、あるいは不釣合いのない外装を構成することによって意匠性を向上させることができる。
【００２３】
図３は本発明による機械室レスエレベータの制御装置における第２の実施の形態を示す斜視図、図４は第２の実施の形態を示す平面断面図である。
【００２４】
図３および図４において、本実施の形態では、乗り場三方枠１２として大枠形式を採用した場合を示している。乗り場三方枠１２は昇降路から乗り場２０方向に延びるように設けられており、この乗り場三方枠１２と建築構造物の壁３との間に、箱体内に制御部品を収納した制御盤１３が設置されている。制御盤１３の箱体は、乗り場２０側の１面が開口され、その開口部を覆うように開閉扉１４が設けられている。この開閉扉１４は、平板状をなし、ヒンジ１５を中心として開閉できるようになっており、鍵１６により鎖錠できるようになっている。
【００２５】
またこの制御盤１３の乗り場２０側には、所定の間隔をおいて平板状をなす化粧パネル１７が設けられている。この化粧パネル１７は、壁３を構成する建築構造物に支持されたヒンジ１８を中心として開閉できるようになっており、また鍵１９により鎖錠できるようになっている。
【００２６】
この化粧パネル１７は、乗り場２０側の表面に外装１７ａが施されている。この外装１７ａは、第１の実施形態と同様に、標準外装の他、ユーザーの要求によりフロアの壁３の外装に釣り合った仕様の外装を施すことができるものである。
【００２７】
本実施の形態では、乗り場三方枠１２に大枠形式を採用したことにより、化粧パネル１７を平板状に構成することができるので、化粧パネル１７の面積を縮小して軽量化することができる。
【００２８】
図５は本発明による機械室レスエレベータの制御装置における第３の実施の形態を示す平面断面図である。図５において、本実施の形態においても乗り場三方枠として大枠形式を採用した場合である。
【００２９】
本実施の形態が第２の実施の形態と異なる点は、化粧パネル１７を防火区画対応材質により構成して制御盤１３の開閉扉１４を省略するようにしたところにある。
【００３０】
化粧パネル１７は、鋼板の場合、板厚が１．６ｍｍ以上、ステンレスの場合、板厚が１．５ｍｍ以上のものを使用すれば、防火区画を構成することができる。
【００３１】
化粧パネル１７を防火区画対応材質で構成すれば、その背後にある制御盤１３の防火構造を省略することができるので、開閉扉１４を省略して制御盤１３の簡素化を図ることができ、また化粧パネル１７を開くと直ちに制御盤１３の保守点検作業を開始できる効果もある。
【００３２】
なお、化粧パネルを防火区画対応材質で構成する形態は、大枠形式の乗り場三方枠に限らず、フラットバー形式の乗り場三方枠を採用した機械室レスエレベータにおいても同様に実施することができる。
【００３３】
【発明の効果】
以上説明したように、本発明の機械室レスエレベータの制御装置によれば、エレベータの乗り場三方枠の側方に位置し、建築構造物と乗り場三方枠との間に制御盤を配置し、この制御盤の乗り場側を覆うように、建築構造物に開閉可能に支持させた化粧パネルを設けるようにしたので、制御盤を乗り場に設置することによる作業性を維持することができ、しかも乗り場三方枠周辺の壁の外装に対して意匠性を損なうことのない外装を構成することができる。
【００３４】
また化粧パネルの重量を建築構造物で支えることができるので、化粧パネルの外装を建築構造物の壁の外装と同種または近似する外装で構成して両者の外装の不釣合いをなくすことができる。
【００３５】
さらに化粧パネルを防火区画対応材質により構成することにより、その背後にある制御盤の開閉扉を省略して制御盤を簡素化することができる。
【図面の簡単な説明】
【図１】本発明による機械室レスエレベータの制御装置における第１の実施の形態を示す斜視図である。
【図２】第１の実施の形態を示す平面断面図である。
【図３】本発明による機械室レスエレベータの制御装置における第２の実施の形態を示す斜視図である。
【図４】第２の実施の形態を示す平面断面図である。
【図５】本発明による機械室レスエレベータの制御装置における第３の実施の形態を示す平面断面図である。
【符号の説明】
１，１２…乗り場三方枠
２…乗り場ドア
３…壁（建築構造物）
４，１３…制御盤
５…制御部品
６，１４…開閉扉
７，１０，１５，１８…ヒンジ
８，１１，１６，１９…鍵
９，１７…化粧パネル
９ａ，１７ａ…外装
２０…乗り場
【図１】
2004250210.tif 000003
【図２】
2004250210.tif 000004
【図３】
2004250210.tif 000005
【図４】
2004250210.tif 000006
【図５】
2004250210.tif 000007